(57)【特許請求の範囲】
【請求項１】
加熱庫と、
上記加熱庫の底面上に周方向に間隔をあけて配置された複数のローラと、
上記複数のローラを連結する連結部材と、
上記加熱庫の底面上に上記複数のローラを介して載置されたターンテーブルと
を備え、
上記ターンテーブルは、
上記ターンテーブルの底面かつ上記複数のローラが周方向に転動する軌道の内周側に設けられ、上記複数のローラの径方向内側への移動を規制する第１の径方向移動規制部と、
上記ターンテーブルの底面かつ上記軌道の外周側に設けられ、上記複数のローラの径方向外側への移動を規制する第２の径方向移動規制部と、
上記ターンテーブルの底面かつ上記第２の径方向移動規制部の外周側に設けられ、上記複数のローラに対して外周側への移動を規制する第３の径方向移動規制部とを有し、
上記複数のローラのうちのいずれかが上記第２の径方向移動規制部と上記第３の径方向移動規制部との間に位置するときに、該ローラが上記第２の径方向移動規制部と上記第３の径方向移動規制部との間に挟まって係止されることを特徴とする加熱調理器。
【請求項２】
請求項１に記載の加熱調理器において、
上記ターンテーブルの上記第１,第２の径方向移動規制部の夫々は、下方に突出する環状の畝部であり、
上記第１の径方向移動規制部の上記ターンテーブルの底面に対する高さは、上記第２の径方向移動規制部の上記ターンテーブルの底面に対する高さよりも低いことを特徴とする加熱調理器。
【請求項３】
請求項１または２に記載の加熱調理器において、
上記ターンテーブルが径方向外側に引っ張られて、上記複数のローラのうちの少なくとも１つのローラが上記第２の径方向移動規制部に接触すると同時かまたはそれ以降に、上記複数のローラのうちの他のローラが上記第１の径方向移動規制部に接触するように構成されていることを特徴とする加熱調理器。
【請求項４】
請求項１から３までのいずれか１つに記載の加熱調理器において、
上記加熱庫が内部に配置された本体ケーシングを備え、
上記本体ケーシングは、上記加熱庫の前面の開口を開閉する横開きドアを有することを特徴とする加熱調理器。
【発明の詳細な説明】
【技術分野】
【０００１】
この発明は、加熱調理器に関する。
【背景技術】
【０００２】
従来、加熱調理器としては、加熱庫内に配置されたターンテーブルと、そのターンテーブルを駆動するモータとを備えたものがある(例えば、特開２００５−３００１３４号公報(特許文献１)参照)。
【０００３】
上記加熱調理器では、加熱庫内の底面に複数のローラを介してターンテーブルが載置され、そのターンテーブルの下側中央にモータの回転軸が連結されている。
【先行技術文献】
【特許文献】
【０００４】
【特許文献１】特開２００５−３００１３４号公報
【発明の概要】
【発明が解決しようとする課題】
【０００５】
しかしながら、上記従来の加熱調理器では、ターンテーブルにモータの回転軸が連結されているため、ターンテーブルの着脱がスムーズにできず、利便性が悪い。
【０００６】
このため、従来の他の加熱調理器として、加熱庫内に配置されたターンテーブルを、連結部材で連結された複数のローラで回転可能に支持し、その複数のローラを連結する連結部材をモータの回転軸により駆動するものがある。
【０００７】
上記加熱調理器では、ターンテーブルが複数のローラ上に載っているだけであるため、ターンテーブルの着脱がスムーズにできる。ところが、上記加熱調理器では、調理終了後にターンテーブル上から食品容器などを取り出そうとしたとき、食品を含む食品容器全体が重いと、食品容器にターンテーブルが引きずられて複数のローラ上から外れ、外部に飛び出す場合がある。特に、横開きドアを備えたビルトインタイプの加熱調理器では、外部に飛び出したターンテーブルが足下に落下する可能性がある。
【０００８】
ヨーロッパなどにおいては、ＩＥＣ規格６０３３５−２−２５(subclause 22.118)で規定された試験条件で、ターンテーブルが加熱庫から滑り落ちないことを確認して安全性を保証する必要がある。
【０００９】
そこで、この発明の課題は、簡単な構成で、ターンテーブルが加熱庫から滑り落ちるのを防止できる加熱調理器を提供することにある。
【課題を解決するための手段】
【００１０】
上記課題を解決するため、この発明の加熱調理器は、
加熱庫と、
上記加熱庫の底面上に周方向に間隔をあけて配置された複数のローラと、
上記複数のローラを連結する連結部材と、
上記加熱庫の底面上に上記複数のローラを介して載置されたターンテーブルと
を備え、
上記ターンテーブルは、
上記ターンテーブルの底面かつ上記複数のローラが周方向に転動する軌道の内周側に設けられ、上記複数のローラの径方向内側への移動を規制する第１の径方向移動規制部と、
上記ターンテーブルの底面かつ上記軌道の外周側に設けられ、上記複数のローラの径方向外側への移動を規制する第２の径方向移動規制部と、
上記ターンテーブルの底面かつ上記第２の径方向移動規制部の外周側に設けられ、上記複数のローラに対して外周側への移動を規制する第３の径方向移動規制部とを有し、
上記複数のローラのうちのいずれかが上記第２の径方向移動規制部と上記第３の径方向移動規制部との間に位置するときに、該ローラが上記第２の径方向移動規制部と上記第３の径方向移動規制部との間に挟まって係止されることを特徴とする。
【００１１】
【００１２】
【００１３】
また、一実施形態の加熱調理器では、
上記ターンテーブルが径方向外側に引っ張られて、上記複数のローラのうちの少なくとも１つのローラが上記第２の径方向移動規制部に接触すると同時かまたはそれ以降に、上記複数のローラのうちの他のローラが上記第１の径方向移動規制部に接触するように構成されている。
【００１４】
また、一実施形態の加熱調理器では、
上記ターンテーブルの上記１,第２の径方向移動規制部の夫々は、下方に突出する環状の畝部であり、
上記第１の径方向移動規制部の上記ターンテーブルの底面に対する高さは、上記第２の径方向移動規制部の上記ターンテーブルの底面に対する高さよりも低い。
【００１５】
また、一実施形態の加熱調理器では、
上記加熱庫が内部に配置された本体ケーシングを備え、
上記本体ケーシングは、上記加熱庫の前面の開口を開閉する横開きドアを有する。
【００１６】
また、一実施形態の加熱調理器では、
上記本体ケーシングは、ビルトインタイプである。
【発明の効果】
【００１７】
以上より明らかなように、この発明によれば、ターンテーブルの底面かつ複数のローラが周方向に転動する軌道の内周側に設けられた第１の径方向移動規制部によって、複数のローラの径方向内側への移動を規制する一方、ターンテーブルの底面かつ軌道の外周側に設けられた第２の径方向移動規制部によって、複数のローラの径方向外側への移動を規制することによって、簡単な構成で、ターンテーブルが加熱庫から滑り落ちるのを防止できる加熱調理器を実現することができる。
【図面の簡単な説明】
【００１８】
【図１】図１はこの発明の第１実施形態の加熱調理器の一例としての電子レンジの斜視図である。
【図２】図２は上記電子レンジの縦断面図である。
【図３】図３は上記電子レンジのターンテーブルとローラステイの裏面斜視図である。
【図４】図４は上記ターンテーブルとローラステイを下方から見た裏面図である。
【図５】図５は図４のＶ−Ｖ線から見た断面図である。
【図６】図６は上記ターンテーブルの上面を示す模式図である。
【図７】図７は図６の状態からターンテーブルが下方にずれたときの状態を示す模式図である。
【図８】図８は図６のVIII−VIII線から見た要部の縦断面図である。
【図９】図９は図７のIX−IX線から見た要部の縦断面図である。
【図１０】図１０は図７とローラステイの位置が異なる状態からターンテーブルが下方にずれたときの状態を示す模式図である。
【図１１】図１１は比較例のターンテーブルとローラステイの上面を示す模式図である。
【図１２】図１２はターンテーブルが下方にずれたときの状態を示す模式図である。
【図１３】図１３は図１１のXIII−XIII線から見た要部の縦断面図である。
【図１４】図１４は図１１のXIV−XIV線から見た要部の縦断面図である。
【図１５】図１５はこの発明の第３実施形態の加熱調理器の一例としての電子レンジのターンテーブルの上面を示す模式図である。
【図１６】図１６は図１５の状態からターンテーブルが下方にずれたときの状態を示す模式図である。
【図１７】図１７は図１６とローラステイの位置が異なる状態からターンテーブルが下方にずれたときの状態を示す模式図である。
【発明を実施するための形態】
【００１９】
以下、この発明の加熱調理器を図示の実施の形態により詳細に説明する。
【００２０】
〔第１実施形態〕
図１はこの発明の第１実施形態の加熱調理器の一例としての電子レンジの斜視図を示している。
【００２１】
この第１実施形態の電子レンジは、図１に示すように、本体ケーシング１と、この本体ケーシング１内に設けられ、前面に開口２ａを有する加熱庫２と、加熱庫２の開口２ａを開閉する横開きドア３とを備えている。この電子レンジは、ビルトインタイプである。
【００２２】
上記横開きドア３は、本体ケーシング１の前面側に左側の辺を軸に回動可能に取り付けられている。この横開きドア３には、耐熱性を有する透明なガラス４が設けられている。また、本体ケーシング１の前面の右側に設けられた操作パネル５を有している。この操作パネル５は、表示部およびボタン群を有している。
【００２３】
上記加熱庫２内の底面１０上に、被加熱物を載置するためのターンテーブル１００が収容されている。このターンテーブル１００は、耐熱性のガラスまたはセラミックなどからなる。
【００２４】
図２は上記電子レンジの縦断面図を示している。図２に示すように、本体ケーシング１内に配置された加熱庫２の底面１０にローラステイ２００を回転可能に配置している。このローラステイ２００によりターンテーブル１００を支持している。
【００２５】
上記ローラステイ２００は、連結部材の一例としての３つのアーム２０１と、各アーム２０１の先端に回転可能に夫々取り付けられた３つのローラ２０２とを有する。
【００２６】
また、ローラステイ２００の中心に回転軸３０１の先端が連結されている。加熱庫２の下側に、その回転軸３０１の下端が接続されたギアボックス３０２と、ギアボックス３０２を介して回転軸３０１を駆動するモータ３０３とを配置している。
【００２７】
図３は上記電子レンジのターンテーブル１００とローラステイ２００の裏面斜視図を示している。
【００２８】
図３に示すように、ローラステイ２００は、中心から１２０°間隔で放射状に延在するように連結された３つのアーム２０１と、各アーム２０１の先端に夫々取り付けられた３つのローラ２０２とを有する。上記３つのローラ２０２は、加熱庫２の底面１０上に周方向に間隔をあけて配置されている。図３では、ローラステイ２００の回転軸３０１(図２に示す)が連結される連結部分は省略している。
【００２９】
上記ターンテーブル１００の底面かつ複数のローラ２０２が周方向に転動する軌道の内周側に、複数のローラ２０２の径方向内側への移動を規制する環状の第１の径方向移動規制部１０１を、ターンテーブル１００と中心が同じ同心円状に設けている(図５参照)。
【００３０】
また、上記ターンテーブル１００の底面かつ上記軌道の外周側に、複数のローラ２０２の径方向外側への移動を規制する環状の第２の径方向移動規制部１０２を、ターンテーブル１００と中心が同じ同心円状に設けている(図５参照)。
【００３１】
さらに、上記ターンテーブル１００の底面かつ第２の径方向移動規制部１０２の外周側に、複数のローラ２０２に対して外周側への移動を規制する環状の第３の径方向移動規制部１０３を、ターンテーブル１００と中心が同じ同心円状に設けている(図５参照)。
【００３２】
上記第１〜第３の径方向移動規制部１０１,１０２,１０３は、ターンテーブル１００の下方に突出する環状の畝部である。
【００３３】
なお、上記第１実施形態では、複数のローラ２０２が周方向に転動する軌道面は、ターンテーブル１００の底面と同一の平面上に設けたが、ローラの軌道面は、ターンテーブルの底面よりも凹んだ溝状の底部であってもよい。
【００３４】
図４は上記ターンテーブル１００とローラステイ２００を下方から見た裏面図を示している。図５と同一の構成部には、同一参照番号を付している。
【００３５】
図５は図４のＶ−Ｖ線から見た断面図を示しており、図５中下方が上側(図１,図２に示す加熱庫２の天面側)、図５中上方が下側(図１,図２に示す加熱庫２の底面１０側)である。図５において、図３,図４と同一の構成部には同一参照番号を付している。
【００３６】
図５に示すように、アーム２０１の先端のローラ２０２は、ターンテーブル１００の第１の径方向移動規制部１０１と第２の径方向移動規制部１０２との間に挟まれた軌道を転動する。このとき、加熱庫２の底面１０(図１,図２に示す)上を複数のローラ２０２が転動する。
【００３７】
また、図６は上記ターンテーブル１００の上面を示している。図６において、Ｒ１はターンテーブル１００の裏面の図３に示す第１の径方向移動規制部１０１の稜線を示し、Ｒ２はターンテーブル１００の裏面の図３に示す第２の径方向移動規制部１０２の稜線を示し、Ｒ３はターンテーブル１００の裏面の図３に示す第３の径方向移動規制部１０３の稜線を示している。ここで、稜線Ｒ１〜Ｒ３は、第１〜第３の径方向移動規制部１０１〜１０３夫々の周方向における最大高さ位置を結んだ軌跡である。
【００３８】
図６では、ターンテーブル１００の裏側において、ローラステイ２００の３つのローラ２０２が周方向に転動する軌道上の正しい位置にある。また、ローラステイ２００の３つのアーム２０１のうちの１つが、前後方向かつ後面側(図６の上方(加熱庫２の奥側))に向かって配置され、他の２つのアーム２０１は、前方向に対して左右に６０°開いた位置に配置されている。
【００３９】
ここで、３つのローラ２０２のうちの図中下側の２つのローラ２０２の中心を結ぶ直線Ａ１と、その直線に平行でかつターンテーブル１００の重心Ｏを通る直線Ｂ１との距離をＬ１とし、ターンテーブル１００の重量をＭとする。ターンテーブル１００の下側の縁近傍(図１,図２に示す加熱庫２の開口２ａ側)で押し下げる荷重をかけて、ターンテーブル１００を直線Ａ１を軸に回動させるには、すなわち図中下側の２つのローラ２０２の中心を支点にして回動させるには、回転モーメントＭ×Ｌ１よりも大きい回転モーメントが必要である。
【００４０】
次に、図７は図６の状態からターンテーブル１００が下方にずれたときの状態を示す模式図を示している。図７において、下方が図１,図２に示す加熱庫２の開口２ａ側であり、上方が加熱庫２の奥側である。
【００４１】
この図７では、ターンテーブル１００について、次のＩＥＣ規格に規定された試験条件で試験を行った。
【００４２】
「＜ＩＥＣ規格６０３３５−２−２５(subclause 22.118)の概要＞
１０００ｇ±５０ｇの冷水が満たされたホウケイ酸ガラスからなる円筒の容器(最大厚さ３ｍｍ,外径約１９０ｍｍ,高さ約９０ｍｍおよび外底の曲率約５ｍｍ)をターンテーブル上に載置し、その円筒の容器の上部に、０[Ｎ(ｋｇ・ｍ／ｓ２)]から最大値１０[Ｎ(ｋｇ・ｍ／ｓ２)]まで増加する水平方向の力を加えて、容器をターンテーブルから持ち上げることなしにキャビティの外へ引っ張る。」
【００４３】
上記試験条件で図７に示すように、ターンテーブル１００が図中下方(図１,図２に示す加熱庫２の開口２ａ側)に引っ張られてずれて、図中上方の１つのローラ２０２が軌道の外側の第２の径方向移動規制部１０２を越えたときに、他の２つのローラ２０２が軌道の内側の第１の径方向移動規制部１０１に夫々係止される。
【００４４】
これにより、容器に引きずられてターンテーブル１００が複数のローラ２０２上から外れ、外部に飛び出すのを防止することができる。したがって、上記電子レンジによれば、簡単な構成で、ターンテーブル１００が加熱庫２から滑り落ちるのを防止できる。
【００４５】
ここで、３つのローラ２０２のうちの図中下側の２つのローラ２０２の中心を結ぶ直線Ａ２と、その直線に平行でかつターンテーブル１００の重心Ｏを通る直線Ｂ２との距離をＬ２とし、ターンテーブル１００の重量をＭとする。ターンテーブル１００の下側の縁近傍(加熱庫２の開口２ａ側)で押し下げる荷重をかけて、ターンテーブル１００を直線Ａ２を軸に回動させるには、すなわち図中下側の２つのローラ２０２の中心を支点にして回動させるには、回転モーメントＭ×Ｌ２よりも大きい回転モーメントが必要である。このときの距離Ｌ２は、図６の距離Ｌ１よりも少し短くなるが、上記回転モーメントに大きな差はない。
【００４６】
したがって、容器の荷重により発生する回転モーメントよりも、上記回転モーメントＭ×Ｌ２が大きくなるように、ターンテーブル１００の重量Ｍと距離Ｌ２を設定することにより、容器がターンテーブル１００上を滑ってターンテーブル１００の図中下側の縁近傍まで移動しても、ターンテーブル１００が上記試験条件で傾くことはない。
【００４７】
図８は図６のVIII−VIII線から見た縦断面図を示している。図８において、図３,図４と同一の構成部には同一参照番号を付している。図８では、図５と上下方向が逆、すなわち、図８中下方が下側(図１,図２に示す加熱庫２の底面１０側)、図８中上方が上側(図１,図２に示す加熱庫２の天面側)である。
【００４８】
図８では、ターンテーブル１００の裏側において、ローラステイ２００の３つのローラ２０２が周方向に転動する軌道上の正しい位置にある。
【００４９】
ここで、上記第１の径方向移動規制部１０１のターンテーブル１００の底面に対する高さＨ１を、第２の径方向移動規制部１０２のターンテーブル１００の底面に対する高さＨ２よりも低くしている。これにより、複数のローラ２０２を連結するアーム２０１が第１の径方向移動規制部１０１に干渉しない。
【００５０】
また、図９は図７のIX−IX線から見た縦断面図を示しており、ターンテーブル１００が図中左方向(図１,図２に示す加熱庫２の開口２ａ側)に引っ張られてずれたときの状態であり、ローラ２０２が軌道の外側の第２の径方向移動規制部１０２を越えている。他の２つのローラ２０２は、軌道の内側の第１の径方向移動規制部１０１に夫々係止されている。
【００５１】
このとき、第２の径方向移動規制部１０２を越えたローラ２０２は、第２の径方向移動規制部１０２と第３の径方向移動規制部１０３との間に挟まって係止されている。この第２の径方向移動規制部１０２を越えたローラ２０２の係止(第２の径方向移動規制部１０２と第３の径方向移動規制部１０３との間)と、他の２つのローラ２０２と第１の径方向移動規制部１０１との係止が相まって、ターンテーブル１００に対する３つのローラ２０２の係止力が強まり、ターンテーブル１００が外部に飛び出すのをより確実に防止することができる。
【００５２】
また、図１０は図７とローラ２０２の位置が異なるターンテーブル１００が下方(図１,図２に示す加熱庫２の開口２ａ側)にずれたときの状態を示す模式図を示している。図１０において、下方が加熱庫２の開口２ａ側であり、上方が加熱庫２の奥側である。
【００５３】
この図１０のローラステイ２００は、加熱庫２の開口２ａ側に対向する位置に１つのアーム２０１が配置され、他の２つのアーム２０１は、後方向に対して左右に６０°開いた位置に配置されている。
【００５４】
上記ＩＥＣ規格６０３３５−２−２５(subclause 22.118)の試験条件で、図１０に示すように、ターンテーブル１００が図中下方(加熱庫２の開口２ａ側)に引っ張られてずれたとき、図中下方の１つのローラ２０２が軌道の内側の第１の径方向移動規制部１０１に係止され、他の２つのローラ２０２が軌道の外側の第２の径方向移動規制部１０２に夫々係止される。
【００５５】
したがって、図１０に示すローラステイ２００の配置では、１つのローラ２０２と第１の径方向移動規制部１０１との係止と、他の２つのローラ２０２と第２の径方向移動規制部１０２との係止が相まって、ターンテーブル１００に対する３つのローラ２０２の係止力が強まり、ターンテーブル１００が外部に飛び出すのをより確実に防止することができる。
【００５６】
また、３つのローラ２０２のうちの図中下側の１つのローラ２０２の中心を通りかつ接線方向に延びる直線Ａ３と、その直線Ａ３に平行でかつターンテーブル１００の重心Ｏを通る直線Ｂ３との距離Ｌ３とし、ターンテーブル１００の重量をＭとすると、直線Ａ３を軸にターンテーブル１００を回動させる回転モーメントは、Ｍ×Ｌ３であり、図７のＭ×Ｌ１に比べて遙かに大きい。
【００５７】
したがって、容器の荷重により発生する回転モーメントよりも、上記回転モーメントＭ×Ｌ３が大きくなるように、ターンテーブル１００の重量Ｍと距離Ｌ３を設定することにより、容器がターンテーブル１００上を滑ってターンテーブル１００の図中下側の縁近傍まで移動しても、ターンテーブル１００が上記試験条件で傾くことはない。
【００５８】
＜比較例＞
図１１は比較例のターンテーブル１１００とローラステイ２００の上面を示す模式図を示している。図１１のターンテーブル１１００は、第１の径方向移動規制部１０１がない点を除いて図３,図４に示すターンテーブル１００と同一の構成をしており、同一構成部には同一参照番号を付している。なお、この比較例は、この発明の加熱調理器を分かりやすく説明するためのものであって、この発明の加熱調理器ではない。
【００５９】
図１１では、ターンテーブル１１００の裏側において、ローラステイ２００の３つのローラ２０２が周方向に転動する軌道上の正しい位置にある。
【００６０】
次に、図１２はターンテーブル１１００が下方にずれたときの状態を示す模式図を示している。図１２において、下方が加熱庫２の開口２ａ側であり、上方が加熱庫２の奥側である。
【００６１】
上記ＩＥＣ規格６０３３５−２−２５(subclause 22.118)の試験条件で、図１２に示すように、ターンテーブル１１００が図中下方(加熱庫２の開口２ａ側)に引っ張られてずれたとき、図中上方の１つのローラ２０２が軌道の外側の第２の径方向移動規制部１０２を越えたときに、他の２つのローラ２０２はどこにも係止されない。
【００６２】
このため、この比較例では、上記ＩＥＣ規格６０３３５−２−２５(subclause 22.118)の試験では、ターンテーブル１１００が複数のローラ２０２上から外れ、外部に飛び出してしまう。
【００６３】
図１３は図１１のXIII−XIII線から見た縦断面図を示している。図１３では、ターンテーブル１１００の裏側において、ローラステイ２００の３つのローラ２０２が周方向に転動する軌道上の正しい位置にある。
【００６４】
図１４は図１１のXIV−XIV線から見た縦断面図を示している。図１４では、ターンテーブル１００が図中左方向に引っ張られてずれたときの状態であり、ローラ２０２が軌道の外側の第２,第３の径方向移動規制部１０２,１０３を越えている。
【００６５】
このように、上記比較例では、ターンテーブル１１００が外部に飛び出すのを防止することができない。
【００６６】
これに対して、上記第１実施形態の電子レンジでは、ターンテーブル１００の底面かつ複数のローラ２０２が周方向に転動する軌道の内周側に設けられた第１の径方向移動規制部１０１によって、複数のローラ２０２の径方向内側への移動を規制する一方、ターンテーブル１００の底面かつ軌道の外周側に設けられた第２の径方向移動規制部１０２によって、複数のローラ２０２の径方向外側への移動を規制している。これにより、ターンテーブル１００を水平方向に引っ張ってずらそうとする力が働いたとき、複数のローラ２０２のうちのいずれかが軌道の外側の第２の径方向移動規制部１０２に係止され、ターンテーブル１００を水平方向へのずれを防ぐことができる。さらに、ターンテーブル１００を水平方向に引っ張ってずらそうとする力が大きくなって、複数のローラ２０２のうちのいずれかが軌道の外側の第２の径方向移動規制部１０２を越えたときには、他のローラ２０２が軌道の内側の第１の径方向移動規制部１０１に係止される。
【００６７】
このように、複数のローラ２０２のうちのいずれかが軌道の外側の第２の径方向移動規制部１０２を越えたとしても、他のローラ２０２が軌道の内側の第１の径方向移動規制部１０１に係止することで、ターンテーブル１００の移動を規制することができる。したがって、簡単な構成で、ターンテーブル１００が加熱庫２から滑り落ちるのを防止でき、ＩＥＣ規格６０３３５−２−２５(subclause 22.118)に対応した電子レンジを提供することができる。
【００６８】
また、上記ターンテーブル１００の底面かつ第２の径方向移動規制部１０２の外周側に設けられた第３の径方向移動規制部１０３によって、複数のローラ２０２に対して外周側への移動を規制するので、ターンテーブル１００を水平方向に引っ張ってずらそうとする力が働いたとき、複数のローラ２０２のうちのいずれかが軌道の外側の第２の径方向移動規制部１０２を越えても、さらにその外側の第３の径方向移動規制部１０３でローラ２０２の外周側への移動を規制することができ、ターンテーブル１００が加熱庫２から滑り落ちるのを確実に防止できる。
【００６９】
また、上記ターンテーブル１００が径方向外側に引っ張られたときに、複数のローラ２０２のうちの少なくとも１つのローラ２０２が第２の径方向移動規制部１０２に接触した以降に越えて移動した状態で、複数のローラ２０２のうちの他の２つのローラ２０２が第１の径方向移動規制部１０１に係止されることにより、ターンテーブル１００が加熱庫２から滑り落ちるのを容易に防止できる。
【００７０】
なお、上記ターンテーブル１００が径方向外側に引っ張られたときに、複数のローラ２０２のうちの少なくとも１つのローラ２０２が第２の径方向移動規制部１０２に接触したと同時に、複数のローラ２０２のうちの他の２つのローラ２０２が第１の径方向移動規制部１０１に係止されるようにしてもよい。
【００７１】
また、上記第１の径方向移動規制部１０１のターンテーブル１００の底面に対する高さＨ１を、第２の径方向移動規制部１０２のターンテーブル１００の底面に対する高さＨ２よりも低くすることにより、複数のローラ２０２を連結するアーム２０１が第１の径方向移動規制部１０１に干渉しにくく、設計の自由度が高くなる。
【００７２】
また、上記前面の開口２ａを開閉する横開きドア３を有する本体ケーシング１を備えた電子レンジでは、本体ケーシング１の加熱庫２の前面の開口２ａからターンテーブル１００が誤って引っ張り出されたときに前方に落下する恐れがある。
【００７３】
このような加熱庫２の前面の開口２ａを開閉する横開きドア３を有する本体ケーシング１を備えた電子レンジにおいて、上記第１実施形態によれば、ＩＥＣ規格６０３３５−２−２５(subclause 22.118)に対応することが容易にでき、ターンテーブル１００の前方への落下を防止できる。
【００７４】
また、上記ビルトインタイプの本体ケーシング１を備えた電子レンジでは、本体ケーシング１の加熱庫２の前面の開口２ａからターンテーブル１００が誤って引っ張り出されたときに前方に平らな設置面の部分がなく、直接落下してしまう恐れがある。
【００７５】
このようなビルトインタイプの本体ケーシング１を備えた電子レンジにおいて、ＩＥＣ規格６０３３５−２−２５(subclause 22.118)に対応することが容易にでき、ターンテーブル１００の前方への落下を防止できる。
【００７６】
〔第２実施形態〕
この発明の第２実施形態の加熱調理器の一例としての電子レンジは、第３の径方向移動規制部１０３がない点を除いて第１実施形態の電子レンジと同一の構成をしており、図１〜図１０を援用する。
【００７７】
この第２実施形態の電子レンジは、図７のように、ターンテーブル１００が図中下方(図１,図２に示す加熱庫２の開口２ａ側)に引っ張られてずれたとき、図中上方の１つのローラ２０２が軌道の外側の第２の径方向移動規制部１０２を越えたときに、他の２つのローラ２０２が軌道の内側の第１の径方向移動規制部１０１に夫々係止される。
【００７８】
また、上記ＩＥＣ規格６０３３５−２−２５(subclause 22.118)の試験条件で、図１０のように、ターンテーブル１００が図中下方(加熱庫２の開口２ａ側)に引っ張られてずれたとき、図中下方の１つのローラ２０２が軌道の内側の第１の径方向移動規制部１０１に係止され、他の２つのローラ２０２が軌道の外側の第２の径方向移動規制部１０２に夫々係止される。
【００７９】
上記第２実施形態の電子レンジによれば、簡単な構成で、ターンテーブル１００が加熱庫２から滑り落ちるのを防止できる。
【００８０】
上記第２実施形態の電子レンジは、第３の径方向移動規制部１０３により効果を除いて第１実施形態の電子レンジと同様の効果を有する。
【００８１】
〔第３実施形態〕
図１５はこの発明の第３実施形態の加熱調理器の一例としての電子レンジのターンテーブル４００の上面を示している。この第３実施形態の電子レンジは、第２,第３の径方向移動規制部１０２,１０３がない点を除いて第１実施形態の電子レンジと同一の構成をしており、図１〜図１０を援用する。また、図１５において、図１〜図１０と同一の構成部には同一参照番号を付している。
【００８２】
図１５は上記ターンテーブル４００の上面を示している。図１５において、Ｒ１はターンテーブル４００の裏面の図３に示す第１の径方向移動規制部１０１の稜線を示している。ここで、稜線Ｒ１は、第１〜第３の径方向移動規制部１０１の周方向における最大高さ位置を結んだ軌跡である。
【００８３】
図１５では、ターンテーブル４００の裏側において、ローラステイ２００の３つのローラ２０２が周方向に転動する軌道上の正しい位置にある。
【００８４】
この第３実施形態の電子レンジにおいて、上記ＩＥＣ規格６０３３５−２−２５(subclause 22.118)の試験条件で、図１５の状態から図１６のようにターンテーブル４００が図中下方(図１,図２に示す加熱庫２の開口２ａ側)に引っ張られてずれたとき、３つのローラ２０２のうちの２つが軌道の内側の第１の径方向移動規制部１０１に係止される。
【００８５】
また、図１７は図１６とローラ２０２の位置が異なるターンテーブル４００が下方(加熱庫２の開口２ａ側)にずれたときの状態を示す模式図を示している。図１７において、図１〜図１０と同一の構成部には同一参照番号を付しており、下方が加熱庫２の開口２ａ側であり、上方が加熱庫２の奥側である。
【００８６】
この図１７のローラステイ２００は、加熱庫２の開口２ａ側に対向する位置に１つのアーム２０１が配置され、他の２つのアーム２０１は、後方向に対して左右に６０°開いた位置に配置されている。
【００８７】
上記ＩＥＣ規格６０３３５−２−２５(subclause 22.118)の試験条件で、図１７に示すように、ターンテーブル４００が図中下方(加熱庫２の開口２ａ側)に引っ張られてずれたとき、図中下方の１つのローラ２０２が軌道の内側の第１の径方向移動規制部１０１に係止される。
【００８８】
上記第３実施形態の電子レンジによれば、簡単な構成で、ターンテーブル１００が加熱庫２から滑り落ちるのを防止できる。
【００８９】
図１６の場合は、３つのローラ２０２のうちの図中下側の１つのローラ２０２の中心を通りかつ接線方向に延びる直線Ａ２と、その直線Ａ２に平行でかつターンテーブル４００の重心Ｏを通る直線Ｂ２との距離をＬ２とし、ターンテーブル４００の重量をＭとすると、直線Ａ２を軸にターンテーブル４００を回動させる回転モーメントは、Ｍ×Ｌ２である。
【００９０】
一方、図１７の場合は、３つのローラ２０２のうちの図中下側の１つのローラ２０２の中心を通りかつ接線方向に延びる直線Ａ３と、その直線Ａ３に平行でかつターンテーブル４００の重心Ｏを通る直線Ｂ３との距離をＬ３とし、ターンテーブル４００の重量をＭとすると、直線Ａ３を軸にターンテーブル４００を回動させる回転モーメントは、Ｍ×Ｌ３であり、図１６に比べて遙かに大きい。
【００９１】
したがって、容器の荷重により発生する回転モーメントよりも、上記回転モーメントＭ×Ｌ２が大きくなるように、ターンテーブル１００の重量Ｍと距離Ｌ２を設定することにより、容器がターンテーブル１００上を滑ってターンテーブル１００の図中下側の縁近傍まで移動しても、ターンテーブル１００が上記試験条件で傾くことはない。
【００９２】
上記第３実施形態の電子レンジは、第２,第３の径方向移動規制部１０２,１０３による効果を除いて第１実施形態の電子レンジと同様の効果を有する。
【００９３】
〔第４実施形態〕
この発明の第４実施形態の加熱調理器の一例としての電子レンジは、第２の径方向移動規制部の高さに対する第１の径方向移動規制部の高さが異なる点を除いて第１実施形態の電子レンジと同一の構成をしている。
【００９４】
この第４実施形態の電子レンジは、ターンテーブルの底面かつ複数のローラが周方向に転動する軌道の内周側に、複数のローラの径方向内側への移動を規制する環状の第１の径方向移動規制部を、ターンテーブルと中心が同じ同心円状に設けている。
【００９５】
また、上記ターンテーブルの底面かつ上記軌道の外周側に、複数のローラの径方向外側への移動を規制する環状の第２の径方向移動規制部を、ターンテーブルと中心が同じ同心円状に設けている。
【００９６】
上記第１の径方向移動規制部のターンテーブルの底面に対する高さを、第２の径方向移動規制部のターンテーブルの底面に対する高さよりも高くしている。これにより、複数のローラと第１の径方向移動規制部との係止力が強くなる。
【００９７】
なお、上記第４実施形態では、ローラに連結されたアームが第１の径方向移動規制部に接触または干渉しない構成にしている。
【００９８】
上記第４実施形態の電子レンジは、第１実施形態の電子レンジと同様の効果を有する。
【００９９】
上記第１〜第４実施形態では、加熱調理器としての電子レンジについて説明したが、オーブンレンジなどの他の加熱調理器にこの発明を適用してもよい。
【０１００】
また、上記第１〜第４実施形態では、放射状に延在する３つのアーム２０１を有するローラステイ２００を備えた電子レンジついて説明したが、ローラステイの構成はこれに限らず、環状の連結部材に複数のローラが回動可能に取り付けられた加熱調理器でもよい。
【０１０１】
また、上記第１〜第４実施形態では、ターンテーブル１００の底面にもうけられた下方に突出する環状の畝部を第１〜第３の径方向移動規制部１０１〜１０３としたが、第１〜第３の径方向移動規制部はこれに限らず、他の形態の径方向移動規制部でもよい。
【０１０２】
この発明の具体的な実施の形態について説明したが、この発明は上記第１〜第４実施形態に限定されるものではなく、この発明の範囲内で種々変更して実施することができる。例えば、上記第１〜第４実施形態で記載した内容を適宜組み合わせたものを、この発明の一実施形態としてもよい。
【０１０３】
この発明および実施形態をまとめると、次のようになる。
【０１０４】
この発明の加熱調理器は、
加熱庫２と、
上記加熱庫２の底面上に周方向に間隔をあけて配置された複数のローラ２０２と、
上記複数のローラ２０２を連結する連結部材２０１と、
上記加熱庫２の底面上に上記複数のローラ２０２を介して載置されたターンテーブル１００と
を備え、
上記ターンテーブル１００は、
上記ターンテーブル１００の底面かつ上記複数のローラ２０２が周方向に転動する軌道の内周側に設けられ、上記複数のローラ２０２の径方向内側への移動を規制する第１の径方向移動規制部１０１を有することを特徴とする。
【０１０５】
上記構成によれば、ターンテーブル１００の底面かつ複数のローラ２０２が周方向に転動する軌道の内周側に設けられた第１の径方向移動規制部１０１によって、複数のローラ２０２の径方向内側への移動を規制する。例えば、ターンテーブル１００に水平方向に引っ張る力が働いてターンテーブル１００がずれたとき、ローラ２０２が軌道の内側の第１の径方向移動規制部１０１に係止される。このようにして、ターンテーブル１００の移動を規制することができる。したがって、簡単な構成で、ターンテーブル１００が加熱庫２から滑り落ちるのを防止できる。
【０１０６】
また、一実施形態の加熱調理器では、
上記ターンテーブル１００は、
上記ターンテーブル１００の底面かつ上記軌道の外周側に設けられ、上記複数のローラ２０２の径方向外側への移動を規制する第２の径方向移動規制部１０２を有する。
【０１０７】
上記実施形態によれば、ターンテーブル１００の底面かつ複数のローラ２０２が周方向に転動する軌道の内周側に設けられた第１の径方向移動規制部１０１によって、複数のローラ２０２の径方向内側への移動を規制する一方、ターンテーブル１００の底面かつ軌道の外周側に設けられた第２の径方向移動規制部１０２によって、複数のローラ２０２の径方向外側への移動を規制する。例えば、ターンテーブル１００を水平方向に引っ張ってずらそうとする力が働いたとき、複数のローラ２０２のうちのいずれかが軌道の外側の第２の径方向移動規制部１０２に係止され、さらに強い力が働いてローラ２０２が第２の径方向移動規制部１０２を越えたときには、他のローラ２０２が軌道の内側の第１の径方向移動規制部１０１に係止される。このように、複数のローラ２０２のうちのいずれかが軌道の外側の第２の径方向移動規制部１０２を越えたとしても、他のローラ２０２が軌道の内側の第１の径方向移動規制部１０１に係止することで、ターンテーブル１００の移動を規制することができる。
【０１０８】
また、一実施形態の加熱調理器では、
上記ターンテーブル１００は、
上記ターンテーブル１００の底面かつ上記第２の径方向移動規制部１０２の外周側に設けられ、上記複数のローラ２０２に対して外周側への移動を規制する第３の径方向移動規制部１０３を有する。
【０１０９】
上記実施形態によれば、ターンテーブル１００の底面かつ第２の径方向移動規制部１０２の外周側に設けられた第３の径方向移動規制部１０３によって、複数のローラ２０２に対して外周側への移動を規制するので、ターンテーブル１００を水平方向に引っ張ってずらそうとする力が働いたとき、複数のローラ２０２のうちのいずれかが軌道の外側の第２の径方向移動規制部１０２を越えても、さらにその外側の第３の径方向移動規制部１０３でローラ２０２の外周側への移動を規制することができ、ターンテーブル１００が加熱庫２から滑り落ちるのを確実に防止できる。
【０１１０】
また、一実施形態の加熱調理器では、
上記ターンテーブル１００が径方向外側に引っ張られて、上記複数のローラ２０２のうちの少なくとも１つのローラ２０２が上記第２の径方向移動規制部１０２に接触すると同時かまたはそれ以降に、上記複数のローラ２０２のうちの他のローラ２０２が上記第１の径方向移動規制部１０１に接触するように構成されている。
【０１１１】
上記実施形態によれば、ターンテーブル１００が径方向外側に引っ張られたときに、複数のローラ２０２のうちの少なくとも１つのローラ２０２が第２の径方向移動規制部１０２に接触すると同時に、複数のローラ２０２のうちの他のローラ２０２が第１の径方向移動規制部１０１に係止される。あるいは、ターンテーブル１００が径方向外側に引っ張られたときに、複数のローラ２０２のうちの少なくとも１つのローラ２０２が第２の径方向移動規制部１０２に接触した以降に、複数のローラ２０２のうちの他のローラ２０２が第１の径方向移動規制部１０１に係止される。これにより、ターンテーブル１００が加熱庫２から滑り落ちるのを容易に防止できる。
【０１１２】
また、一実施形態の加熱調理器では、
上記ターンテーブル１００の上記１,第２の径方向移動規制部１０１,１０２の夫々は、下方に突出する環状の畝部であり、
上記第１の径方向移動規制部１０１の上記ターンテーブル１００の底面に対する高さは、上記第２の径方向移動規制部１０２の上記ターンテーブル１００の底面に対する高さよりも低い。
【０１１３】
上記実施形態によれば、第１の径方向移動規制部１０１のターンテーブル１００の底面に対する高さを、第２の径方向移動規制部１０２のターンテーブル１００の底面に対する高さよりも低くすることにより、複数のローラ２０２を連結する連結部材２０１が第１の径方向移動規制部１０１に干渉しにくく、設計の自由度が高くなる。
【０１１４】
また、一実施形態の加熱調理器では、
上記加熱庫２が内部に配置された本体ケーシング１を備え、
上記本体ケーシング１は、上記加熱庫２の前面の開口２ａを開閉する横開きドア３を有する。
【０１１５】
上記前面の開口２ａを開閉する横開きドア３を有する本体ケーシング１を備えた加熱調理器では、本体ケーシング１の加熱庫２の前面の開口２ａからターンテーブル１００が誤って引っ張り出されたときに前方に落下する恐れがある。
【０１１６】
上記実施形態によれば、このような加熱庫２の前面の開口２ａを開閉する横開きドア３を有する本体ケーシング１を備えた加熱調理器において、ＩＥＣ規格６０３３５−２−２５(subclause 22.118)に対応することが容易にでき、ターンテーブル１００の前方への落下を防止できる。
【０１１７】
また、一実施形態の加熱調理器では、
上記本体ケーシング１は、ビルトインタイプである。
【０１１８】
上記ビルトインタイプの本体ケーシング１を備えた加熱調理器では、本体ケーシング１の加熱庫２の前面の開口２ａからターンテーブル１００が誤って引っ張り出されたときに前方に平らな設置面の部分がなく、直接落下してしまう恐れがある。
【０１１９】
上記実施形態によれば、このようなビルトインタイプの本体ケーシング１を備えた加熱調理器において、ＩＥＣ規格６０３３５−２−２５(subclause 22.118)に対応することが容易にでき、ターンテーブル１００の前方への落下を防止できる。
【符号の説明】
【０１２０】
１…本体ケーシング
２…加熱庫
２ａ…開口
３…横開きドア
４…ガラス
５…操作パネル
１０…底面
１００,４００…ターンテーブル
１０１…第１の径方向移動規制部
１０２…第２の径方向移動規制部
１０３…第３の径方向移動規制部
２００…ローラステイ
２０１…アーム
２０２…ローラ
３０１…回転軸
３０２…ギアボックス
３０３…モータ
【図１】
0006670623.tif 000002
【図２】
0006670623.tif 000003
【図３】
0006670623.tif 000004
【図４】
0006670623.tif 000005
【図５】
0006670623.tif 000006
【図６】
0006670623.tif 000007
【図７】
0006670623.tif 000008
【図８】
0006670623.tif 000009
【図９】
0006670623.tif 000010
【図１０】
0006670623.tif 000011
【図１１】
0006670623.tif 000012
【図１２】
0006670623.tif 000013
【図１３】
0006670623.tif 000014
【図１４】
0006670623.tif 000015
【図１５】
0006670623.tif 000016
【図１６】
0006670623.tif 000017
【図１７】
0006670623.tif 000018